Podtech/llm-jp-corpus-v4-ja_patent huggingface dataset:
(57)【要約】【課題】従来のガラス工芸用等の石油バーナーは、テーブルに穴を開け、下からエアーノズルを突き出していたので、セッティングや移動も不便だった。【解決手段】本考案はバーナーの底面に足を付けるなどして高くし、エアーノズルを側面から通し上方に曲げ、上下に可動するようにした。【選択図】図１
0003105678.tif 000002
【実用新案登録請求の範囲】
【請求項１】
バーナー等の側面から通せ、上下に可動であることを特徴とするエアーノズル
【考案の詳細な説明】
【技術分野】
【０００１】本考案は、石油バーナー等のエアーノズルに関するものである。
【背景技術】
【０００２】従来ガラス工芸用等の石油バーナーはテーブルに穴を開け、下からエアーノズルを突き出し送風し、テーブルの下からエアーノズルを上下させ火力調整していた。
【考案の開示】
【考案が解決しようとする課題】
【０００３】従来は石油バーナーの下から送風していたので、テーブルに穴を開けねばならず、セッティングや移動も不便だった。
【課題を解決するための手段】
【０００４】本考案はバーナーの底面に足を付けるなどして高くし、エアーノズルを側面から通し上方に曲げ、上下に可動するようにした。
【考案の効果】
【０００５】エアーノズルの上に石油バーナーを置き、横からエアーノズルを上下させ火力調整できる。
【図面の簡単な説明】
【０００６】
【図１】本考案のエアーノズルと石油バーナーの外観図
【図２】従来の石油バーナーの外観図
【符号の説明】
【０００７】１  石油バーナー
２  エアーノズル
３  エアーノズル上下調整ダイヤル
４  石油タンク
５  テーブル
【図１】
0003105678.tif 000003
【図２】
0003105678.tif 000004
【手続補正書】
【提出日】平成16年7月9日(2004.7.9)
【手続補正１】
【補正対象書類名】実用新案登録請求の範囲
【補正対象項目名】全文
【補正方法】変更
【補正の内容】
【実用新案登録請求の範囲】
【請求項１】
Ｌ字状に曲げたエアーノズル２の水平部分に、垂直に雄ネジを接合し、土台と雌ネジを切ったダイヤル３の穴に通し、そのダイヤル３を回転させる事により上下に可動となるバーナー用エアーノズル
(57)【要約】【課題】  本考案は、取付ける位置に自由度があり、取付後もスイッチ作動位置を簡単に調節ができ、扉の変形になどに対応出来る扉開閉感知装置を提供するものである。【解決手段】  扉開閉感知装置１０にスイッチ作動部材１４に連動した伸縮自在の可動軸１３を備える。また可動軸１３に必要以上の動きや圧力が加わっても問題なく動きや圧力を吸収出来るようにスプリング１５を配設する。【選択図】  図１
0003105671.tif 000002
【実用新案登録請求の範囲】
【請求項１】
扉の開閉を離れた場所で通電にて感知出来る扉や枠側に取付ける装置で取付後も開閉作動感知位置を簡単に調整出来ることを特長とする扉開閉感知装置。
【請求項２】
開閉作動感知位置以上の動きにも対応する遊び部分を設けたことを特長とする請求項１記載の扉開閉感知装置。
【考案の詳細な説明】
【考案の詳細な説明】
【技術分野】
【０００１】  本考案は、扉開閉感知装置に関する。
【背景技術】
【０００２】  離れた場所から扉の開閉状態を確認する装置として、従来より扉に取り付ける装置は知られている。
【考案が解決しようとする課題】
【０００３】  しかしながら、木製や樹脂製などの変形することのある扉は、スイッチの作動位置がずれて誤作動の危険性があり、変形した場合は取付位置を最適な位置に取付け直す必要が有る。
【課題を解決するための手段】
【０００４】  本考案は、扉や枠に当たるスイッチ連動棒の長さを任意調節する機能を有することを特徴とするスイッチ作動位置調整機能を具備することで、初期取付け位置の自由度と取付後の調整の簡便さを実現し、よって上記の課題を解決するものである。
【実施例】
【０００５】  図１に示すように、本考案の扉開閉感知装置１０は、基板１２の左右に可動軸１３を受ける軸受け部１２Ａと筒状部材１６を受ける軸受け部１２Ｂを有している。そして、可動軸１３にネジ孔１４Ｂで連結されたスイッチ起動部材１４が連動してマイクロスイッチ１７が起動されるように基板１１に配置されている。【０００６】  可動軸１３の片側先端には扉に当てる先端部１３Ａが設けられ、逆側の軸部には適量な長さのネジ部が形成されている。このネジ部に連結したスイッチ作動部材１４はスプリング１５で軸受け部１２Ａに圧着されている。また、スプリング１５の反対側は可動軸１３を一方向に可動を制御する筒状部材１６を介し軸受け部１１Ｂに圧着されている。【０００７】  図２に示すように扉開閉感知装置１０は扉１１に固定部材２０で設置される。尚、扉開閉感知装置１０は少なくとも２箇所以上の孔１２Ｃで扉１１Ａや枠１１Ｂの適切な位置に固定部材２０で固定されるようになっている。また、扉１１への取付け場所は図２以外の場所でも取付けは可能である。【０００８】  上記の方法で固定された扉開閉感知装置１０は図３の示す状態から可動軸１３の先端部１３Ａを扉が閉る位置で押込み、図４に示す状態へ可動軸１３にネジで連結したスイッチ作動部材１４のスイッチ解除位置１４Ａをマイクロスイッチ１７のスイッチ起動部１７Ａに移動するように先端部１３Ａを回して調整する。設定後扉や枠が変形した場合も先端部１３Ａを回して調節することで、最適な状態を維持することができる。【０００９】  また、スイッチ作動部材１４はスプリング１５で圧着されていることで図５に示すように扉開閉感知設定位置以上の動きや圧力に対しても筒状部材１６に当たるまでは問題なく動きや圧力を吸収することが出来る。【０００１０】  可動軸１３にネジ部１４Ｂで連結したスイッチ作動部材１４は調整位置がずれないように固定具１８で締付けて可動軸１３に止着させる。
【考案の効果】
【０００１１】  以上のように、請求項１記載の考案によれば、扉開閉感知装置は、扉や枠に取付後スイッチ作動位置をスイッチ作動連動棒の長さを調節することで簡単に調整でき、初期取付け位置の自由度と取付後の扉の変形などによるスイッチ誤作動を簡単に修復することが出来る。また、請求項２記載の考案によれば、扉開閉感知位置の設定以上の動きや圧力に対しても吸収出来るので装置や扉の破損などを防ぐ事ができる。
【図面の簡単な説明】
【図１】本考案に係わる扉開閉感知装置の外観図である。
【図２】本考案に係わる扉開閉感知装置の扉への取付け図である。
【図３】本考案に係わる扉開閉感知装置の扉開時の断面図である。
【図４】本考案に係わる扉開閉感知装置の扉閉時の断面図である。
【図５】本考案に係わる扉開閉感知装置の最大圧縮時の断面図である。
【符号の説明】
１０・・・扉開閉感知装置
１１・・・扉
１２・・・基板
１３・・・可動軸
１４・・・スイッチ作動部材
１５・・・スプリング
１７・・・マイクロスイッチ
【図１】
0003105671.tif 000003
【図２】
0003105671.tif 000004
【図３】
0003105671.tif 000005
【図４】
0003105671.tif 000006
【図５】
0003105671.tif 000007
【手続補正書】
【提出日】平成16年7月12日(2004.7.12)
【手続補正２】
【補正対象書類名】実用新案登録請求の範囲
【補正対象項目名】全文
【補正方法】変更
【補正の内容】
【実用新案登録請求の範囲】
【請求項１】
基板１２に対し移動可能に配置した筒状のスイッチ作動部材１４に、タンポ形状１３Ａを有した槍形状１３をスライド可能に設け、基板１２に固定されたマイクロスイッチ１７のマイクロスイッチ起動部１７Ａを、スイッチ作動部材１４に設けた凸起部１４Ａの移動で起動させるように配置し、槍形状１３をスライドしてタンポ部１３Ａを任意の位置に固定させることで、タンポ部１３Ａとそれに連動した凸起部１４Ａの位置関係を変えることが出来、マイクロスイッチ起動部１７Ａの起動のタイミングを簡単に調整出来ることを特長とした扉開閉感知装置。
【請求項２】
前記筒状のスイッチ作動部材１４の移動範囲をより大きくし、また、筒状のスイッチ作動部材１４の凸起部１４Ａを筒形状に沿ってより長く設けることで、マイクロスイッチ１７の起動開始点位置前後のスイッチ作動部材１４の移動による遊び部分がより多く確保でき、タンポ部１３Ａに掛かる圧力での過剰移動による装置の破損等を回避出来ることを特長とする請求項１記載の扉開閉感知装置。
(57)【要約】【課題】  風の強い日に昇り旗がずり上って伸縮竿のジョイント部分に喰い込み、旗が戻らなくなり、見た目が悪く、宣伝効果もなくなり、旗布の傷みも防止することを目的とする。【解決手段】  旗布の竿を通す最下端の部分を、重ね縫をするか、紐等を通して部厚く形成することによって、風の強い日に旗がずり上って、旗布の端が伸縮竿のジョイント部に喰い込むことを防止できる。【選択図】  図１
0003105677.tif 000002
【実用新案登録請求の範囲】
【請求項１】
旗布地の上辺と一方の側辺部を袋縫いし、該袋縫い部の上部を斜めに切落して筒状部を形成し、この側辺の袋縫い部の下端口をいく重に折込んで部厚く形成するか、又はこの下端口に輪状の紐状物を縫い込み、旗布地に対して横棒及び縦ポールを挿入した昇り旗。
【考案の詳細な説明】
【技術分野】
【０００１】
本考案は昇り旗の構造に関するものである。
【背景技術】
【０００２】
一般に見られる昇り旗は、長方形の旗布地の上辺および一方の側辺にいくつかの乳輪を取付け、これに横棒と縦ポールを通して立てるのが普通である。
【０００３】
考案者は、先にこのような乳輪にポールを通して立設する昇り旗にかえて、旗布地の辺を袋縫いして、これにポールを挿通して立設する昇り旗を開発し、これによって強風の際に旗布がずり上ることを解消した。
【特許文献１】実用新案登録第３０６５１９３号公報
【考案の開示】
【考案が解決しようとする課題】
【０００４】
しかし、最近の昇り旗のポールは竹の延べ竿ではなく、伸縮する合成樹脂製のポールを使用している。この伸縮ポールには中間部にジョイント部分があり、風の強い日には旗は風に煽られて上方にめくり上って、袋縫い部の下端がポールのジョイント部に喰い込まれてしまい、元に戻らない結果となり、旗の宣伝効果もなく見苦しい状態となってその都度旗を喰い込みから外すこととなる。
【課題を解決するための手段】
【０００５】
考案者はこの点に鑑み、この伸縮ポールのジョイント部への喰い込みの原因を調べた結果本案に到達したものであって、この伸縮ポールのジョイント部には僅かな隙間があり、この隙間に旗布の端が喰い込むことによって、旗のめくり上りが戻らなくなることを究明した。
【０００６】
このため旗布の袋縫い部の下端を部厚く形成することによって、この部分がジョイント部に喰い込まれなくなり、強風によって旗が舞い上っても旗は、自然に戻るようになった。
【考案の効果】
【０００７】
本考案の昇り旗は、上述のように旗布地の上辺及び側辺を袋縫いし、この袋縫い部分の下端の筒状部口を部厚く重ね折りに形成するか、輪状の紐のような物を入れて縫成することにより、風によって煽られ、旗が舞い上ったときでも、この旗の下端がポールのジョイント部に食い込まれず、自然と元位置に戻り、旗に描かれている文字やイラストがはっき
りと見られ、ＰＲ効果を十分に発揮できる効果を奏する。
【考案を実施するための最良の形態】
【０００８】
添付図面により、本考案の実施の形態を説明すると、図１は昇り旗全体を表わす正面図であり、図２は旗布（１）の側面袋縫い部（２）の下端（８）の拡大詳細図を示し、図３はポール（５）の部分図であって、このポール（５）は図３に示されるようにジョイントＡによって伸縮可能に構成されていて、図１においては、ジョイントＡは図示していない
が、袋縫い部（２）の中間位置に存在している。
【実施例】
【０００９】
本考案の実施例を説明すると、図１は昇り旗全体の正面図であり、（１）は旗布地であって宣伝文や商品名あるいはイラスト等が記載されている。（２）は側辺の袋縫い部であり、（３）は上辺の袋縫い部を示していて、図示されるようにそれぞれに横棒（４）とポール（５）を通して立設されている。
図中の（６）は角の切落し部であり、（７）は横棒（４）と縦ポール（５）とを接続する回転頭体を示している。
【００１０】
図２は旗布（１）の側辺の袋縫い部（２）の下端部（８）の拡大詳細図で、図示にあってはこの下端に紐Ｒを縫い込んでこの端部（８）に厚みを設けているが、これに限ることなくこの部分はいく重にも折り込んで厚みを設けるものでもよい。
【００１１】
図３は、旗の立てポール（５）の伸縮部分のジョイントＡの部分図であって、このポールは少し太めのポール（５）と、これに納まる細めのポール（５−１）とにより構成され、ジョイントＡを締めてポールの長さを調整する。したがって、ジョイントＡ部分には少しの隙間Ｓが形成される。
【００１２】
昇り旗は、風の強い日には風に煽られてポール（５）に巻きついたり、ずり上って下端（８）がジョイントＡの隙間Ｓに喰い込む可能性があり元に戻ることができず、旗としての宣伝効果がなく見苦しい状態となる。本考案は、このような状態になるのを防ぐために旗の袋縫い部（２）の下端を厚めに形成するものである。
【産業上の利用可能性】
【００１３】
本考案の昇り旗は、風の強い日でも旗布がポールのジョイント部Ａに引っかかることなく、常に平常に立てられるため宣伝効果があり、利用度合は大きい。
【図面の簡単な説明】
【００１４】
【図１】昇り旗の正面図
【図２】要部詳細図
【図３】ポールジョイント部Ａの詳細図
【符号の説明】
【００１５】
（１）…旗布
（２）…側辺の袋縫い部
（３）…上辺の袋縫い部
（４）…横棒
（５）…縦ポール
（６）…切欠き部
（７）…回転頭金具
（８）…側辺袋縫い部の下端
【図１】
0003105677.tif 000003
【図２】
0003105677.tif 000004
【図３】
0003105677.tif 000005
(57)【要約】      （修正有）【課題】自転車に取付けられている篭に蓋と錠を設けることによって篭の中の物品等の盗難を防止する施錠機構の自転車用篭を提供する。【解決手段】篭Ａの後部側面の左右側部寄りに、上端に連結環２を設け、下端にＬ形状の蓋支持部３を設けた篭取付枠１、１ａを縦に固定し、連結環２にＣ形状の蓋取付枠５の両端部を懸設し、この蓋取付枠５に、両側部に摺動穴６を設けた蓋を嵌着し、篭Ａと蓋Ｂの前部に錠１０を設けたことを特徴とする。【選択図】図１
0003105638.tif 000002
【実用新案登録請求の範囲】
【請求項１】
自転車用篭の後部側面の左右側部寄りに、上端に連結環を設け下端にＬ形状の蓋支持部を設けた篭取付枠を縦に固定し、前記連結環にＣ形状の蓋取付枠の両端部を懸設し、この蓋取付枠に、両側部に摺動穴を設けた蓋を嵌着し、篭と蓋の前部に施錠装置を設けたことを特徴とする施錠機構の自転車用篭。
【考案の詳細な説明】
【技術分野】
【０００１】  本考案は、自転車に取付けられている篭に蓋と錠を設けることによって、篭の中の物品等の盗難を防止する施錠機構の自転車用篭に関するものである。
【背景技術】
【０００２】  従来、自転車用の篭は自転車の後部荷台又はハンドルの前部に係留金具を利用して取付けられた金属網状のものから合成樹脂の篭や箱形のケース状のものが各種提供されているが、施錠する機構の篭は見当らなかった。
【考案の開示】
【考案が解決しようとする課題】
【０００３】  しかし、これ等の自転車用篭の大多数は蓋や覆はないので、所有者が買った物品を篭のなかに入れたまま自転車から瞬時離れた隙に中の物品が盗まれるという事件が頻繁に発生した。
又、篭に網の覆いを取付けたり、シート等を被せ、その上から紐等を掛けて篭内の物品の盗難防止を図ったが、紐を切られたり、覆いやシートが破られ、盗難を防止することはできなかった。
本考案は自転車用の篭に蓋を設け、更に錠を取付けることによって完全に盗難を防止できるように構成した、施錠機構の自転車用篭を提供することを目的とする。
【課題を解決するための手段】
【０００４】  上記目的を達成するため本考案は、自転車用篭Ａの後部側面の左右側部寄りに、上端に連結環２を設け、下端にＬ形状の蓋支持部３を設けた篭取付枠１、１ａを縦に固定し、前記連結環２にＣ形状の蓋取付枠５の両端部を懸設し、この蓋取付枠５に、両側部に摺動穴６を設けた蓋１３を嵌着し、篭Ａと蓋Ｂの前部に施錠装置Ｃを設けたものである。
【考案の効果】
【０００５】  本考案は上記のように構成されているので次のような効果がある。
ａ．自転車用の篭に蓋と錠を取り付けたことによって、自転車を離れる際に施錠をしておけば篭の中の物品を盗まれるようなことはない。
ｂ．従来、一般的に使われている自転車用の篭に蓋、固定具、蓋取付枠、錠を取り付けるだけで簡単に施錠機構が完成するので安価に提供できる。
【考案を実施するための最良の形態】
【０００６】  以下本考案の実施の形態をを図面に基づいて説明する。
図１は本発明の構成を示す斜視図で、図２は本発明の一連の開蓋状態を示す側面図、図３は本考案の正面図、図４は本考案の背面図、図５は本考案の右側面図、図６は本考案の他の実施例図で図中の符号Ａは篭を、Ｂは蓋を示し、Ｃは施錠装置を示す。【０００７】  １、１ａは篭Ａの後側部の左右側部寄りに垂直状に設けられた篭取付枠で、この篭取付枠１、１ａの上端には連結環２、２ａが設けられ、下端にはＬ形状の蓋支持部３、３ａが設けられている。
篭取付枠１、１ａは固定具４、４ａ等の固定手段によって篭Ａの後側部に固定されている。
５は縦長のＣ形状に形成された蓋取付枠で、折り曲げられた両端部は前記篭取付枠１の連結環２、２ａに挿着され、折り曲げ部分は蓋Ａの側部に設けられた細長の摺動穴６、６ａに挿着されていて蓋Ｂを開閉する際、軸になるようになっている。【０００８】    摺動穴６、６ａは蓋Ｂを開けると、図２に示したように蓋取付枠５が徐々に後方へ倒れ、蓋Ｂが直立状になった時点で蓋Ｂが後部から降下する。
降下する蓋Ｂは蓋取付枠５が動穴６、６ａに沿って摺動するので円滑に降下し、蓋支持部３、３ａに支持される。【０００９】  ７は蓋の前部中央部に設けられた錠板で、下端寄りに穴８が設けられていて、この穴８に対応する篭Ａの前面上部に錠掛部９と係合させ、錠掛部９に錠１０を掛けて施錠することによって蓋Ｂが開かないようになってる。【００１０】  篭Ａは、図示していないが通常は自転車の荷台に固定されているもので、場合によっては自転車のハンドルの前に固定されている金属製のもので、容易に取り外しができないようになっており、蓋Ａは金属又は合成樹脂材でできているので簡単に壊されるようなことはない。
【実施例】
【００１１】  上記のように構成された考案を実際に使用する場合は次のようになる。
篭の中が空の状態になっている場合は鍵を掛ける必要はなく、蓋Ｂは自由に開けることができる。
蓋Ｂを開ける場合は、蓋Ｂの前方を上方へ持ち上げると図２に示したように蓋取付枠５を軸にして蓋は開き、更に持ち上げると蓋取付枠５が後方へ倒れると共に蓋取付枠５が蓋Ｂの左右側部に設けられた摺動穴６，６ａ内を摺動するので、蓋Ｂは垂直状になった時に降下し、篭取付枠１、１ａの蓋支持部３、３ａに保持される。
このように蓋Ｂを開けた後、物品を篭の中に入れ、蓋支持部３，３ａに保持されている蓋Ｂを上方へ引き上げた後、前方へ倒し、施錠装置の錠１０を掛ける。
【図面の簡単な説明】
【００１２】
【図１】  本考案の構成を示す斜視図
【図２】  本考案の一連の開蓋状態を示した図
【図３】  本考案の正面図
【図４】  本考案の背面図
【図５】  本考案の右側面図
【図６】  本考案の他の実施例図
【符号の説明】
【００１３】  １  篭取付枠
２  連結環
２ａ  連結環
３  蓋支持部
３ａ  蓋支持部
４  固定具
４ａ  固定具
５  蓋取付枠
６  摺動穴
６ａ  摺動穴
７  錠板
８  穴
９  錠掛部
１０  錠
Ａ  篭
Ｂ  蓋
Ｃ  施錠装置
Ｄ  荷台
【図１】
0003105638.tif 000003
【図２】
0003105638.tif 000004
【図３】
0003105638.tif 000005
【図４】
0003105638.tif 000006
【図５】
0003105638.tif 000007
【図６】
0003105638.tif 000008
(57)【要約】      （修正有）【課題】冷蔵庫のドアーを開閉することなく、冷蔵庫の中に入っている品物が目視でき、来客者に庫内を見られることもなく、冷蔵庫のランニングコスト及び製造コストも安価で消費者に提供できる冷蔵庫を提供する。【解決手段】冷蔵庫の扉に冷蔵庫内を目視できるのぞき窓２，３を取り付ける。二重のガラスを使用したペアガラス方式を採用し、ガラスとガラスの空間は、乾燥空気とする。のぞき窓２，３は複数の突起片で突起片挿着孔に挿着する。ガラスとガラス嵌着部材との隙間には、空気の流入、流出を防ぐためにコーキングを施す。使用するときは、常時は、通常の冷蔵庫のように使用し、扉を開放せず、冷蔵庫内の品物を目視するときは、庫内照明灯スイチ１を押し、庫内照明灯を点灯させて目視することを特徴とする。【選択図】図１
0003105637.tif 000002
【実用新案登録請求の範囲】
【請求項１】
本考案は、冷蔵庫の扉にペアガラス式ののぞき窓を一つまたは複数個付けた冷蔵で、冷蔵庫の扉を開放することなく、冷蔵庫内の品物を目視できるペアガラス式のぞき窓を施した冷蔵庫。
【考案の詳細な説明】
【技術分野】
【０００１】本考案は、冷蔵庫の扉を開閉することなく、庫内をのぞき窓から目視できる冷蔵庫に関するものである。
【背景技術】
【０００２】  従来は、商業用としては、冷蔵ショーケースなど、前面がガラス張りで、中の商品が見えるものはあったが、家庭用としては、作られていない。【０００３】  先行技術の特許公開２０００−２４１０７０は、冷蔵庫の内側にもう一枚の透明の材料を使用しての二重ドア方式であった。【０００４】  また、先行技術の特許公開平８−４９９５９は、家庭用冷蔵庫のドアー全体を前面ガラスにする技術であるが、この場合、たとえ二重ガラスにしても、かなりの消費電力の使用と結露が見込まれる。【０００５】  また、先行技術の特許公開２００４−２８５４２は、液晶シャッター技術を駆使した技術であるが、この場合、製造コストの問題および特許公開平８−４９９５９と同様に結露の問題が生じる
【参考特許文献】
特許公開２０００−２４１０７０
特許公開平８−４９９５９
特許公開２００４−２８５４２
【考案の開示】
【考案が解決しようとする課題】
【０００６】  本考案が解決しょうとする課題は、冷蔵庫の扉を開閉することなく、冷蔵庫の中に入っている品物が目視でき、また、来客者に冷蔵庫の庫内が見えるのを防ぐため、冷蔵庫の扉を閉じた状態のときは、庫内灯は消灯されているため、来客者に庫内を見られることもなく、しかも、透明部分ののぞき窓部はペアガラスを使用し、のぞき窓の面積も狭いため、結露することなく、冷蔵庫のランニングコスト及び製品の製造コストも安価で消費者に提供できる冷蔵庫を考案したものである。
【課題を解決するための手段】
【０００７】  本考案は、図１で示すとおり、冷蔵庫の扉に冷蔵庫内を目視できるのぞき窓２，３を取り付ける。【０００８】  本考案ののぞき窓は、図３、図４に示すとおり、二重のガラスを使用したペアガラス方式を採用し、ガラス９とガラス９の空間は、乾燥空気とすると、断熱効果はさらに高くなる。【０００９】  本考案ののぞき窓２，３の長辺には複数の突起片８をつけ、図６、図７で示す突起片挿着孔１２に挿着するようにする。【００１０】  また、図４で示すとおり、ガラス９とガラス嵌着部材７との隙間には、空気の流入、流出を防ぐためにコーキング１０を施す。【００１１】  冷蔵庫の扉側のペアガラス方式のぞき窓収容枠は、図７で示すように加工する。
この枠の中にペアガラス式のぞき窓を挿着し、扉とガラス嵌着部材７の隙間にはコーキングを施して、本考案のペアガラス方式採用ののぞき窓つき冷蔵庫は完成する。【００１２】  本考案のペアガラス方式採用ののぞき窓つき冷蔵庫を使用するときは、次のように使用する。
１．常時は、通常の冷蔵庫のように使用します。
２．扉を開放せず、冷蔵庫内の品物を目視するときは、図１に示す、庫内照明灯スイチ１を押し、庫内照明灯を点灯させて目視する。
【考案の効果】
【００１３】  本考案の本考案のペアガラス方式採用ののぞき窓つき冷蔵庫は、のぞき窓部が狭く、また、ペアグラス方式の二重ガラスを採用しているため、ランニングコストは従来の冷蔵庫とほとんど変わらないが、扉の開閉なしに、庫内の品物が目視できるため、従来よりランニングコストは安くなる。
さらに、日常の買い物も買出しに行く前に、のぞき窓から庫内を目視して出かけるため、不要の買い物をしなくなり、家計費の節約に大いに有効である。
【考案を実施するための最良の形態】
【００１４】  従来の冷蔵庫の製造方法で製造できる。ただ、扉部分にのぞき窓を挿着するスペースの貫通穴を開ける工程とアガラス方式採用ののぞき窓を挿着する工程が増える。
【実施例】
【００１５】  扉だけを交換する方法で、従来の冷蔵庫にも採用が可能である。
【図面の簡単な説明】
【００１６】
【図１】  本考案のペアガラス方式採用ののぞき窓つき冷蔵庫の斜視図
【図２】  本考案の冷蔵庫の扉を開放した図
【図３】  本考案の冷蔵庫ののそき窓部２（ペアガラス）の正面図
【図４】  本考案の冷蔵庫ののぞき窓部２（ペアガラス）のＡ−Ａ”の断面図
【図５】  本考案の冷蔵庫ののぞき窓を取り外した扉の正面図
【図６】  本考案の冷蔵庫ののぞき窓を取り外した扉の図５ののぞき窓部２のａ−ａ“の断面図
【図７】  本考案の冷蔵庫ののぞき窓を収める枠の詳細斜視図
【図８】  本考案の冷蔵庫ののぞき窓（ペアガラス）を枠に嵌め込んだ詳細斜視図
【符号の説明】
【００１７】  １．  庫内照明灯スイチ
２．  のぞき窓部（ペアガラス）２
３．  のぞき窓部（ペアガラス）２−１
５．  冷蔵庫の扉の庫外側外装材
６．  冷蔵庫の扉の庫内側外装材
７．  ガラス嵌着部材
８．  突起片
９．  ガラス
１０．  コーキング材
１１．  断熱材
１２．  突起片挿着孔
【図１】
0003105637.tif 000003
【図２】
0003105637.tif 000004
【図３】
0003105637.tif 000005
【図４】
0003105637.tif 000006
【図５】
0003105637.tif 000007
【図６】
0003105637.tif 000008
【図７】
0003105637.tif 000009
【図８】
0003105637.tif 000010
(57)【要約】      （修正有）【課題】シャツ類等の洗濯物を乾きやすく、干しやすく型くずれを少なく干すための専用のハンガ−を提供する。【解決手段】ハンガ−からフックをなくし、ハンガ−は洗濯物の袖口からも通せる幅と、広げ干しができる長さとし、中央部にはフック掛けを設ける。洗濯物を通したハンガ−はフックに掛け、物干し竿に掛ける。フックの替りにクランプを使用することもできる。【選択図】なし【実用新案登録請求の範囲】
【請求項１】
フックのない洗濯物干し用ハンガ−
【考案の詳細な説明】
【考案の詳細な説明】
【考案が解決しようとする課題】
【０００１】  従来、洗濯物の乾き促進を狙ったハンガ−は、スライド式や折りたたみ式等ハンガ−の大きさを変えられるものがいろいろ考案されていたが、スライドさせたり、広げたり折りたたむのに手間がかかり、しかも丸首シャツ等の洗濯物は掛けづらい問題点があった。
【課題を解決するための手段】
【０００２】上記の目的を達成するために、ハンガ−からフックをなくし、袖口からでも洗濯物に通せる幅と広げ干しができる細長いハンガ−とした。ハンガ−を通した洗濯物はフック又はクランプに掛け、物干し竿に掛ける。又は先に物干し竿に掛けておいたフックやクランプにハンガ−を掛けて干す。
【考案の効果】
【０００３】  シャツ類の広げ干しが簡単にできるようになり、乾きやすく洗濯しわも軽減できる。
【図面の簡単な説明】  １        フックなしハンガ−
（１）  フック引っかけ部
２        フックとハンガ−の組合せ例
0003105634.tif 000002
(57)【要約】      （修正有）【課題】受け皿と器の間に水が溜まり、器を持った時、水がテーブルや衣服に垂れ不愉快なおもいをしないようにした、水切り網入り受け皿を提供する。【解決手段】段差のある受け皿１に網の板２を乗せて、その上に押さえ枠ぶち３を乗せる。この受け皿コースター等は皿の中間に網を入れることにより外部結露した水は器の下の網に溜まるが、殆んど網を通過して皿の底に溜まる。従って器の下には水は溜まらないので、テーブルや衣服に垂れる心配はない。【選択図】図１
0003105633.tif 000002
【実用新案登録請求の範囲】
【請求項１】
段差のある受け皿に網の板を乗せる、その上に押さえ枠ぶちを乗せて、できる水きり受け皿
【考案の詳細な説明】
【技術分野】
【０００１】  本考案は受け皿の中間に網を入れたコースター等の受け皿に関するものである。
（背景技術）【０００２】  ビンや金属その他、器に冷たい物を入れた時、器は外部結露して、水滴がこぼれ、受け皿の底に溜まり、器の底がぬれる。
（考案の開示）
（考案が解決しようとす課題）【０００３】  この受け皿は受け皿の中間に網を入れ、その上に器を乗せる。この網は取り外し可能とする。器の底に結露した水が溜まらないようにして、受け皿の底に溜まるようにし物である。
（考案の効果）【０００４】  上述の様に本考案の受け皿はビンや金属その他に冷たいものを入れた器は外部結露して、器の下に溜まる。今まで受け皿コースター等は受け皿と器の間に水が溜まり、器を持った時、水がテーブルや衣服に垂れ不愉快なおもいをする。この受け皿コースター等は皿の中間に網を入れることにより外部結露した水は器の下の網に溜まるが、殆んど網を通過して皿の底に溜まる。従って器の下には水は溜まらないので、テーブルや衣服に垂れる心配はありません。【０００５】  この水切り網入り受け皿コースターは生ビールや冷たい水を飲む時にジョッキーやコップの下に置き、外部結露した水を受け皿に貯め、ほかにこぼさない様にする。また貯まった水はあみを取って捨てるようにする。また網を外してきれいに洗うことができる。
（実施例）【０００６】    以下、添付図面に従って実施例を説明する。１は段差のある受け皿である。材質は木又は金属又は高分子化学製品等である。２は網の板で材質は金属でなるべく目の粗い強度のある板である。３は押さえ枠ぶちで材質は木又は金属又は高分子化学製品で、色々の模様を印刷又は彫刻出来る様にする。時によって、必要のなく使用する時もある。
【図面の簡単な説明】
【０００７】
【図１】本考案の網入り受け皿の断面図である。
【符号の説明】
【０００８】    １  受け皿
２  網の板
３  押さえ枠ぶち
【図１】
0003105633.tif 000003
(57)【要約】【課題】  遺族の哀悼の気持ちを充分に満足させることができる可燃性の副葬品を提供すること。【解決手段】遺族が希望する故人の遺留品を写真撮影し、撮影された写真のカラーコピーを可燃性の巻物、とじ帳、あるいは折帳等の台紙に貼り付け、これらの台紙には写真の近傍に遺族の追悼直筆思い書きが添えられていると共に、夫々の台紙には故人に相応しいタイトルが記されているもの。【選択図】図１
0003105644.tif 000002
【実用新案登録請求の範囲】
【請求項１】
遺族が希望する故人の遺留品を写真撮影し、撮影された写真をカラーコピーして可燃性の巻物、とじ帳、あるいは折帳等の台紙に貼り付け、これらの台紙には写真の近傍に遺族の追悼直筆思い書きが添えられていると共に、夫々の台紙には故人に相応しいタイトルが記されている副葬品。
【考案の詳細な説明】
【技術分野】
【０００１】
本考案は、故人を送る時にお棺に入れる副葬品に関するものである。
【背景技術】
【０００２】
故人を送る場合、遺族は故人の愛用品をお棺内に納めようとするが、煤煙やダイオキシンの発生、あるいは炉の故障の原因になる等の理由から不燃物や危険物の収納が制限されている。
【０００３】
しかしながら、遺族は故人の為、あるいは想い出として愛用品を収納することを強く希望されている面も有り、安全で尚且つ遺族の満足度が得られる副葬品の提案が希望されている。
【０００４】
一方、個人の愛用した道具や用具を擬似した可燃性のイミテーションも収納物として提供されつつある。
【０００５】
例えば、特開２００２−２２４１７７に記載されているように、木や紙の可燃性材料で形成したゴルフクラブのような可燃性副葬品も提案されている。
【０００６】
しかしながら、故人の愛用した品物に相当するイミテーションが必ずあるとは限らず、むしろ無い方が多いように推測される。
【考案の開示】
【考案が解決しようとする課題】
【０００７】
前記のように、従来は故人の愛用品をお棺に入れたくても入れられないことから遺族の追悼の意思を充分満足させることが出来ないのが現状である。
【０００８】
本考案は、これらの課題に着目し、故人が愛用した用具や道具、あるいは遺留品の写真をカラーコピー化し、これを可燃性の台紙に貼り付けて、可燃性副葬品として投棺し、遺族の追悼の意思を充分満足させることが出来る副葬品を提供することを目的するものである。
【課題を解決するための手段】
【０００９】
本考案は、前記目的を達成するために、遺族が希望する故人の遺留品を写真撮影し、撮影された写真をカラーコピーして可燃性の巻物、とじ帳、あるいは折帳等の台紙に貼り付け、これらの台紙には写真の近傍に遺族の追悼直筆思い書きが添えられていると共に、夫々の台紙には故人に相応しい品名が記されている副葬品としたものである。
【考案の効果】
【００１０】
本考案は、故人が愛用したいかなる道具、用具あるいは遺留品の写真をカラーコピーすることができ、台紙の写真に思い出の添え書きや故人に相応しいタイトルをつけ、これを投棺するようにしたので、遺族の哀悼の気持ちを充分に満足させることができる。
【００１１】
又、故人が愛用した道具、用具あるいは遺留品のイミテーションを製作する必要もなく、比較的安価で迅速に提供でき、更に総ての材料を可燃性材料で成していることから燃焼時にダイオキシン等の有害物が発生せず、異物が残らず公害の発生を防止できる効果もある。
【００１２】
写真を直接投棺することも考えられるが、写真は銀塩が含まれており、燃焼時有害なガスを発生するが、本考案のようにカラーコピーすれば有害ガスが発生せず、公害を防止できるものである。
【実施例】
【００１３】
以下、図に基づいて本考案の一実施例を説明する。
【００１４】
図１は巻物を台紙にした副葬品を示している。図１において、１は巻物台紙で巻き芯２及び台紙３いずれも可燃性の紙でなされている。４は故人が愛用した道具、用具あるいは遺留品を撮影した写真のカラーコピーで、予め記された台紙３の所定の枠内にスプレ接着剤等によって貼り付けられている。
【００１５】
又、貼り付けられた写真４の横近傍には、５で示すように、遺族の追悼の思いを言葉に託し、直筆で記すようになされている。
【００１６】
更に又、巻いた状態で明らかなように、その表面部には巻物のタイトル記入部６を設け、
このタイトル記入部６には「お浄土いでたち品」、「俗名」、「往生」、「帰幽副葬品」、「帰天」等を縦書きで記入するようにする。
【００１７】
尚、図２は通常のアルバム形式と同様のとじ帳台紙１１としたものであり、更に、図３は折帳台紙１２としたものであるが、何れも同様の可燃性材質で形成され、他の部分も同様である。
【産業上の利用可能性】
【００１８】
葬儀の副葬品として利用できる。
【図面の簡単な説明】
【００１９】
【図１】本考案の一実施例を示す巻物副葬品を示す図。
【図２】同じく本考案の一実施例を示すとじ帳台紙副葬品を示す図。
【図３】同じく本考案の一実施例を示す折帳副葬品を示す図。
【符号の説明】
【００２０】
１‥‥巻物台紙、２‥‥巻き芯、３‥‥台紙、４‥‥写真、５‥‥言葉、６‥‥タイトル記入部、１１‥‥とじ帳台紙、１２‥‥折帳台紙。
【図１】
0003105644.tif 000003
【図２】
0003105644.tif 000004
【図３】
0003105644.tif 000005
(57)【要約】【課題】  板屋根上に太陽光発電モジュールを桟などの下地を作らずに直接載せて簡単に固定できる構造を提供する。【解決手段】  駐車場や倉庫などの建造物１１の折板屋根２上に太陽光発電モジュール３の外枠４を取着するに際して、前記太陽光発電モジュール３の外枠４に掛かる折板屋根２の谷部５上の開放空間Sにつながる山部６間に鳥避けネット７を張設する構造である。  その張設方法は、折板屋根の山部６上に山部６間を塞ぐように鳥避けネット７を載せ、その上からネットを押さえる押さえ板８を置いてビス９などで固定できるようにする。【選択図】      図１
0003105646.tif 000002
【実用新案登録請求の範囲】
【請求項１】
建造物の折板屋根上に太陽光発電モジュールの外枠を直接取着する構造において、
前記太陽光発電モジュールの外枠に掛かる折板屋根の谷部上の開放空間につながる山部間に鳥避けネットを張設して成る太陽光発電モジュール下部空間への鳥侵入防止構造。
【請求項２】
太陽光発電モジュールの外枠に掛かる鳥避けネットの辺部を折板屋根の山部と太陽光発電モジュールの外枠との間に挟着して成る請求項１に記載の太陽光発電モジュール下部空間への鳥侵入防止構造。
【考案の詳細な説明】
【技術分野】
【０００１】
本考案は、駐車場や倉庫などの建造物の折板屋根上に設置する太陽光発電モジュールの下部に形成される細長い谷間空間に鳥が侵入するのを防ぐための構造に関する。
【背景技術】
【０００２】
建造物の折板屋根に対して表面に太陽光発電パネル（セル）を多数貼った太陽光発電モジュールを設置する場合、設置する折板屋根の上面が大きな波型に折り曲げられた大きな凹凸面となっているために、平面形状の太陽光発電モジュールをそのまま設置することが難しい。このため、従来では、特許文献１に示すように、折板屋根上に桟を格子状に組んで下地を整えてから、その下地の上に太陽光発電モジュールを固定することが一般的に行なわれている。
【０００３】
このような取付け構造では、設置された太陽光発電モジュールの下部に形成される細長い空間に、折板屋根の谷部や桟の間から小鳥が侵入して巣を作ったり、また風などで運ばれた木の葉やゴミなどが谷部に溜まりやすいという構造上の欠点があった。
そのように巣や木の葉などが溜まった谷部では、その部分の屋根材の腐食が起こりやすく、そうなると雨漏りが起きたり、屋根材の強度低下によって強風を受けると破損が生じ易くなるなどの問題があった。
また、雨で木の葉やゴミなどが濡れると、容易には乾かず、そこに含まれる湿気で太陽光発電モジュールの裏面に配した回路が損傷するなどの影響もあった。
なお、設置する際に、従来の構造の場合では、下地の桟を組み立てるのに桟部材費及び手間代が掛かるのでコストの大幅な削減が困難であった。
【特許文献１】特開２００２−１８０６０９号
【考案の開示】
【考案が解決しようとする課題】
【０００４】
本考案は、上記実情に鑑みてなされたもので、駐車場や倉庫などの建造物の折板屋根の上に太陽光発電モジュールを取り着けるに際し、折板屋根上に設置する太陽光発電モジュールの下部空間に形成される細長い谷部空間への小鳥が侵入や木の葉やゴミなどが溜まるのを防止し、そのことにより屋根材の破損や太陽光発電モジュールの悪影響を防止できる構造を提供するものである。
【課題を解決するための手段】
【０００５】
上記課題を解決するために、本考案は、建造物の折板屋根上に太陽光発電モジュールの外枠を直接取着する構造において、前記太陽光発電モジュールの外枠に掛かる折板屋根の谷部上の開放空間につながる山部間に鳥避けネットを張設して成る太陽光発電モジュール下部空間への鳥侵入防止構造である。
【０００６】
請求項２に記載の考案は、上記構成において、前記太陽光発電モジュールの外枠に掛かる鳥避けネットの辺部を折板屋根の山部と太陽光発電モジュールの外枠との間に挟着したものである。
【考案の効果】
【０００７】
本考案は上記構成であり、駐車場などの建造物へ太陽光発電モジュールを取り付ける場合において、太陽光発電モジュールに周囲に張設された鳥避けネットにより、折板屋根の谷部空間へは鳥の侵入が不可能になり、また大きな木の葉やゴミの進入もできなくなるので、腐食による雨漏りや強風により破損が起こらなくなった。
また、本考案では折板屋根上に太陽光発電モジュールを直接取着する構造なので、上記従来構造の場合よりも下地材料とその組み立て手間が省略されるために、大幅なコスト削減が可能となった。
【考案を実施するための最良の形態】
【０００８】
本考案の実施の形態を以下図で説明する。
本考案は、図１及び図２示すように、駐車場などの建造物１１の折板屋根２上に太陽光発電モジュール３の外枠４を取着するに際して、前記太陽光発電モジュール３の外枠４に掛かる折板屋根２の谷部５上の開放空間Sにつながる山部６間に鳥避けネット７を張設する構造である。
その張設方法は、折板屋根の山部６上に山部６間を塞ぐように鳥避けネット７を載せ、その上からネットを押さえる押さえ板８を置いてビス９などで固定する。
【０００９】
また、太陽光発電モジュール３の外枠４に対して直接鳥避けネット７を固定するの容易ではないので、図２示すように、太陽光発電モジュール３の外枠４に掛かる鳥避けネット７の辺部を折板屋根２の山部６と太陽光発電モジュールの外枠４との間に挟み付け、太陽光発電モジュール３を固定する際に外枠４を止めるボルト１０で、折板屋根２の山部６と外枠４とで挟み固定する。
【００１０】
なお図１では、建造物の折板屋根２上に太陽光発電モジュール３の外枠４を直接取着する構造の一例として、太陽光発電モジュール３の外枠４のフランジ部分に下向きに固定したボルトを駐車場の折板屋根２の山部６に設けた孔に嵌めて、その折板屋根２の下から螺着したナットを回転させて固定する態様を示している。
また、その図１に示すように、折板屋根２の端部には通常鼻隠し板で塞がれていが、網目より細かいゴミは、風や雨水と一緒に、その鼻隠し板との間に設けられた隙間から雨樋に落下し、その雨樋に導かれて排出されるようになっているので、折板屋根２の谷部６上にはゴミが溜まらない。
【産業上の利用可能性】
【００１１】
本考案では、駐車場や倉庫などの建造物の太陽光発電モジュールの外枠に掛かる折板屋根の谷部上の開放空間につながる山部間に鳥避けネットを張設するものであるが、太陽光発電モジュール３下の折板屋根の全面への鳥避けネットの張設も可能である。
また本考案は駐車場や倉庫以外の各種の建造物にも適用できる。
【図面の簡単な説明】
【００１２】
【図１】駐車場での本考案の斜視図である。
【図２】鳥避けネットの張設状態を示す折板屋根と外枠の固定部を拡大した縦断側面図である。
【符号の説明】
【００１３】
１      太陽光発電パネル
２      折板屋根
３      太陽光発電モジュール
４      外枠
５      折板屋根の谷部
６      折板屋根の山部
７      鳥避けネット
８      押さえ板
９      ビス
１０      ボルト
１１      建造物
S      折板屋根の谷部上の開放空間
【図１】
0003105646.tif 000003
【図２】
0003105646.tif 000004
(57)【要約】【課題】室内外で害虫を捕獲すること、又、害虫が室内に侵入する前に、屋外の庭、玄関、ベランダ等で捕獲することができ、それらが人の目に留まらないようにした新しい害虫の捕獲具を提供する。【解決手段】本考案の害虫の捕獲具は、鉢植えの草花に擬似した造花１と害虫捕獲用の粘着性物質を組み合わして形成した捕獲具で、その造花の葉っぱ２の上部に、蛍光物質の塗布部３と、その上に害虫捕獲用の粘着性物質の塗布部４を、形成したことを特徴とする。［選択図］図１【実用新案登録請求の範囲】
【請求項１】
鉢植えの草花に擬似した造花と、害虫捕獲用の粘着性物質を組み合わしたことを特徴とする害虫の捕獲具。
【請求項２】
造花の葉っぱに蛍光物質と害虫捕獲用の粘着性物質の塗布部を、形成したことを特徴とする請求項１記載の害虫の捕獲具。
【考案の詳細な説明】
【技術分野】
【０００１】本考案は、室内外の害虫を捕獲するのに最適な害虫の捕獲具に関する。
【背景技術】
【０００２】従来より帯状の粘着物質の塗布したものを天井等から吊り下げたり、又、壁面等に粘着物質を塗布した紙を貼り付けたりして、ハエや害虫を捕獲するような道具が提供されている。しかし、これらは見た目に汚らしく、捕獲した後の処理に手間取ることがしばしばある。又、鉢植え等に飛び回る害虫は、市販のスプレー式の殺虫剤で噴霧しているが、なかなか小さな害虫を殺すまではできていない。
【考案の開示】
【考案が解決しようとする課題】
【０００３】本考案の目的とするところは、室内外で害虫を捕獲すること、又、害虫が室内に侵入する前に、屋外の庭、玄関、ベランダ等で捕獲することができ、それらが人の目に留まらないようにした新しい害虫の捕獲具を提供することにある。
【課題を解決するための手段】
【０００４】上記課題を解決するため、本考案の害虫の捕獲具は、鉢植えの草花に擬似した造花と害虫捕獲用の粘着性物質を組み合わして形成した捕獲具で、その造花の葉っぱに、蛍光物質と害虫捕獲用の粘着性物質の塗布部を、形成したことを特徴とする。
【考案を実施するための最良の形態】
【０００５】本考案にかかわる害虫の捕獲具の形態を図１を用いて説明する。図１は造花本体１であり、その葉っぱ２に害虫を誘引するための蛍光物質の塗布部３と、その上部に、害虫の捕獲用の粘着性物質の塗布部４を設けている。
【実施例】
【０００６】図２は、実施の一例を示す図である。５は、本物の鉢植えの花で、花の蜜や草花が出す二酸化炭素に誘引された害虫が、本考案による捕獲具６の粘着物質に付着して捕獲される。
【考案の効果】
【０００７】造花を利用したことで、害虫が粘着物質に付着しても鉢植えの草花でカモフラージュされ、人の目に留まらず見た目に汚らしくない。
【０００８】又、造花の根や枝には粘着物質が塗布されていない為、廃棄する時、手や肌に粘着物質が付着しないので清潔である。
【０００９】又、雨水や殺虫剤等の液体に濡れても、本体は造花と粘着物質のため、害虫の捕獲効果は持続する。なお、この粘着物質が屋外で日光や雨水に強いことは実験済みである。
【００１０】本考案は、上記のように構成したので、効率よく害虫を捕獲でき、室外でも長期間、設置できる等、優れた特徴を有する。
【図面の簡単な説明】
【００１１】
【図１】本考案の捕獲具の正面図である。
【図２】本考案の捕獲具の実施の形態の一例を示す図である。
【符号の説明】
【００１２】１    造花の本体
２    造花の葉っぱ
３    蛍光物質の塗布部
４    粘着性物質の塗布部
５    本物の鉢植えの花
６    本考案の擬似花
【図１】
0003105663.tif 000002
【図２】
0003105663.tif 000003
(57)【要約】      （修正有）【課題】機材置き場でクレーンブームを重ね置き保管をする際には、間に木製の角材を置いて数段に積み上げる方法が採られているが、木製であることから緩衝材として強度に問題があるだけでなく、任意の位置で上下のブームが角材に接することから、鉛直方向に正しくクレーンブームを固定支持できないために安定性に欠け、ペンダントローラーやペンダント止めが接触して損傷する危険性がある。【解決手段】本案は、素材として鋼材を用いることとし、ブーム設置面を上下２対のＶ字型の支持部に強制的に当てはめることで、鉛直方向に正しくクレーンブームを積み上げることを可能とし、上下のＶ字型の支持部を垂直のパイプで連結することで、上下の間隙に充分な高さを確保するとともに、水平のパイプを可動式とすることで、クレーンブームの各メーカーの各規格サイズに適応可能とした。【選択図】図２
0003105665.tif 000002
【実用新案登録請求の範囲】
【請求項１】
鋼製素材の４つのＶ字型支持部とそれをと繋ぐパイプで構成される、可動式のクレーンブームの資材置き場用安定緩衝材
【考案の詳細な説明】
【考案の詳細な説明】
【技術分野】
【０００１】  本案は、クレーンブームの安定支持を、Ｖ字型の支持部に自らの重量によって強制的に誘導し、密着させることで、設置時の上下のブームの位置を矯正することを可能とするものであり、かつその目的をメーカーや規格に拘わらずに可能とするために、ブームに渡す桁の長さを可変長としたものである。
【背景技術】
【０００２】  従来は、重ね置きするにあたって、ブーム間に木製の角材を枕木を敷く要領でブームの縦桁を横断するように設置するのみであった。
従って上下のブームの位置を鉛直に矯正し、ずれや落下を防止するような装置を使用することはなかった。
【課題を解決するための手段】
【０００３】  図１の１，２のような上下２対のＶ字型の緩衝用のゴムを貼り付けた鋼材を、５，１２の垂直の２本のパイプで連結し、１３の水平パイプを５，１２に渡したものをブームの片側の上下を支持する部品とする。
同様に図１の３，４についても垂直、水平のパイプの連結でもう一方のブームの支持部品とし、両者に図１の７の外側のパイプと図１の８の内側のパイプをそれぞれ接合して左右のスライド可能な非対称のユニットを用意し、それぞれ垂直方向に既存メーカーのブーム幅の全規格に合う最も単純な整数比を実現する間隔で穴をあけ、幅を固定する際にはピンを差し込んで使用する。
【図面の簡単な説明】
【図１】  当緩衝材の正面図、側面図、及び平面図
【図２】  適用事例の概念図（断面及び側面）
【図１】
0003105665.tif 000003
【図２】
0003105665.tif 000004
【手続補正書】
【提出日】平成15年12月9日(2003.12.9)
【手続補正１】
【補正対象書類名】実用新案登録請求の範囲
【補正対象項目名】全文
【補正方法】変更
【補正の内容】
【実用新案登録請求の範囲】
【請求項１】
同一長の平行な二つのＶ字型鋼材の開放面を天地として、内側に向き合う直角面どうしを垂直な２本の鋼製パイプを接合して、上下のクレーンブーム間の一方の支持部材とし（部材側面より見て垂直パイプとＨ型を構成する形で水平パイプで補強する）、もう一方の同形状支持部材との間で、部材側面のＨ型パイプの水平パイプ中央より、互いに内側に橋渡し用のパイプを、異なる口径でそれぞれの部材に接合することで、部材どうしは噛み合わせるだけの、あらゆる規格幅のクレーンブームに対応できる可動式のクレーンブームの資材置き場用安定緩衝材である。
【手続補正書】
【提出日】平成16年4月5日(2004.4.5)
【手続補正１】
【補正対象書類名】実用新案登録請求の範囲
【補正対象項目名】全文
【補正方法】変更
【補正の内容】
【実用新案登録請求の範囲】
【請求項１】
同一長の平行な二つのＶ字型鋼材の開放面を天地として、内側に向き合う直角面どうしを垂直な２本の鋼製パイプを接合し、さらに垂直パイプとＨ型をなす水平パイプを接合したものを上下のクレーンブーム間の一方の支持部材とし、もう一方の同形状の支持部材との間を、各部材から内側に向けた口径の異なる橋渡し用のパイプを噛み合わせることで、あらゆる規格幅のクレーンブームに対応できる可動式のクレーンブーム資材置き場用の安定緩衝材である。